(57)【要約】【課題】ワイシャツや着物の汚れ易い部位に、着脱自在に取着して、汚れ、アカによる頻繁な洗濯の回数を低減することができる被服用汚れ防止帯状体を提供する。【解決手段】身体の汚れを吸着する布体２と、粘着層と、剥離紙を、順次積層させた帯状体Ｔである。所定長さピッチ寸法Ｌ0 でミシン目が形成されている。全体がロール状に巻設されている。粘着層が網状であって多数の通気用小孔が形成されている。【選択図】図１
0003117453.tif 000002
【実用新案登録請求の範囲】
【請求項１】
身体の汚れを吸着する布体（２）と、粘着層（３）と、剥離紙（４）を、順次積層させた帯状体であって、所定長さピッチ寸法（Ｌ0 ）でミシン目（１）が形成され、全体をロール状に巻設したことを特徴とする被服用汚れ防止帯状体。
【請求項２】
身体の汚れを吸着する布体（２）と、粘着層（３）と、剥離紙（４）を、順次積層させた短冊形であって、複数枚を綴じたことを特徴とする被服用汚れ防止帯状体。
【請求項３】
粘着層（３）が網状であって多数の通気用小孔（５）が形成されている請求項１又は２記載の被服用汚れ防止帯状体。
【考案の詳細な説明】
【技術分野】
【０００１】
本考案は、被服用汚れ防止帯状体に関する。
【背景技術】
【０００２】
一般に、ワイシャツや着物等の被服の襟や袖の部分は、着用時に身体の汚れ（アカ）が付着し易い。
【０００３】
そして、頻繁に洗濯（クリーニング）をする必要があった。
【考案の開示】
【考案が解決しようとする課題】
【０００４】
解決しようとする課題は、ワイシャツや着物等の被服を、頻繁に洗濯する必要がある点である。
【課題を解決するための手段】
【０００５】
そこで、本考案に係る被服用汚れ防止帯状体は、身体の汚れを吸着する布体と、粘着層と、剥離紙を、順次積層させた帯状体であって、所定長さピッチ寸法でミシン目が形成され、全体をロール状に巻設したものである。
また、身体の汚れを吸着する布体と、粘着層と、剥離紙を、順次積層させた短冊形であって、複数枚を綴じたものである。
また、粘着層が網状であって多数の通気用小孔が形成されているものである。
【考案の効果】
【０００６】
本考案の被服用汚れ防止帯状体によれば、ワイシャツや着物の汚れ易い部位に、着脱自在に取着して、身体の汚れ（アカ）による頻繁な洗濯の回数を低減することができる。
【考案を実施するための最良の形態】
【０００７】
図１は、本考案の第１の実施の形態の使用状態を示す。この被服用汚れ防止帯状体Ｔは、ワイシャツＹの襟Ｃ（台襟）の内面Ｃ1 に着脱自在に取着される。
【０００８】
図２に示すように、被服用汚れ防止帯状体Ｔは、全体がロール状に巻設されている。Ｓは厚紙等から成る芯材を示す。Ｒは芯材Ｓに外嵌されて被服用汚れ防止帯状体Ｔが拡径方向に変形する（ばらける）のを防止する環状止め具を示す。
【０００９】
図３に示すように、被服用汚れ防止帯状体Ｔに、所定長さピッチ寸法Ｌ0 でミシン目１が形成されている。所定長さピッチ寸法Ｌ0 は、例えば、35cm≦Ｌ0 ≦50cmに設定されている。所定長さピッチ寸法Ｌ0 がこの範囲外にある場合、適切に汚れを除去することができない虞れがある。また、被服用汚れ防止帯状体Ｔの幅寸法Ｗは、例えば、２cm≦Ｗ≦５cmに設定されている。幅寸法Ｗがこの範囲外にある場合、適切に汚れを除去することができない虞れがある。
【００１０】
図４に示すように、身体の汚れを吸着する布体２と、粘着層３と、剥離紙４が、順次積層されている。布体２は、身体の汚れが付着しやすいものが好ましい。例えば、布体２は、薄い綿布や芯地から成る。粘着層３は、例えば、両面粘着テープから成る。粘着層３は、身体に害を与えない材質のものが好ましい。例えば、絆創膏に用いられる材質のものが良い。図４・図５に示すように、粘着層３は網状であって多数の通気用小孔５が形成されている。
【００１１】
次に、第１の実施の形態の被服用汚れ防止帯状体Ｔの使用方法について説明する。まず、ミシン目１にて切離する。その後、剥離紙４を、図４の矢印Ａに示すように剥離する。そして、粘着層３を、図６に示すように、ワイシャツＹの襟Ｃの内面Ｃ1 に貼着する。
【００１２】
図７・図８は、第２の実施の形態を示す。この被服用汚れ防止帯状体Ｔは、全体が短冊形に形成されている。そして、複数枚（例えば10枚）が糸Ｅにて綴じられている。被服用汚れ防止帯状体Ｔの長さ寸法Ｌ1 は、例えば、35cm≦Ｌ1 ≦50cmに設定されている。所定長さ寸法Ｌ1 がこの範囲外にある場合、適切に汚れを除去することができない虞れがある。
その他の構成は、第１の実施の形態と同様である。
【００１３】
次に、第２の実施の形態の被服用汚れ防止帯状体Ｔの使用方法について説明する。まず、綴じられて束になった被服用汚れ防止帯状体Ｔから、１枚を取外す。その後は、第１の実施の形態と同様である。
【００１４】
なお、本考案をワイシャツＹの襟Ｃに貼着する場合について説明したが、ワイシャツＹの袖（図示省略）に取着するものであっても良い。この場合、例えば、所定長さピッチ寸法Ｌ0 又は長さ寸法Ｌ1 を15cm≦Ｌ1 ≦25cmとし、かつ、幅寸法Ｗを２cm≦Ｌ1 ≦５cmとする。所定長さピッチ寸法Ｌ0 、長さ寸法Ｌ1 、幅寸法Ｗが上記範囲を外れている場合、適切に汚れを除去することができない虞れがある。また、ワイシャツＹ以外の被服（例えば、カッターシャツ、長襦袢）に取着するも良い。取着する対象と部位に合わせて、各寸法を適切に選定するのが好ましい。
【００１５】
本考案は、設計変更可能であって、例えば、粘着層３は、網状でなくても良い。すなわち、通気用小孔５が形成されていないシート状であっても良い。
【００１６】
以上のように、本考案は、身体の汚れを吸着する布体２と、粘着層３と、剥離紙４を、順次積層させた帯状体であって、所定長さピッチ寸法Ｌ0 でミシン目１が形成され、全体をロール状に巻設したので、ワイシャツＹ等の被服の汚れ易い部位に、着脱自在に取着して、汚れ、アカによる頻繁な洗濯の回数を低減することができる。また、全体が巻設されているので、取扱いが容易であり、保存しやすい。さらに、ミシン目１によって、容易に切離すことができる。
【００１７】
また、身体の汚れを吸着する布体２と、粘着層３と、剥離紙４を、順次積層させた短冊形であって、複数枚を綴じたので、ワイシャツＹ等の被服の汚れ易い部位に、着脱自在に取着して、汚れ、アカによる頻繁な洗濯の回数を低減することができる。また、複数枚が綴じられているので、取扱いが容易であり、保存しやすい。
【００１８】
また、粘着層３が網状であって多数の通気用小孔５が形成されているので、通気性が良い。
【図面の簡単な説明】
【００１９】
【図１】本考案の第１の実施の形態の使用状態を示す正面図である。
【図２】簡略平面図である。
【図３】要部正面図である。
【図４】要部拡大断面平面図である。
【図５】説明用正面図である。
【図６】要部拡大断面平面図である。
【図７】第２の実施の形態を示す正面図である。
【図８】簡略平面図である。
【符号の説明】
【００２０】
１  ミシン目
２  布体
３  粘着層
４  剥離紙
５  通気用小孔
Ｌ0 所定長さピッチ寸法
【図１】
0003117453.tif 000003
【図２】
0003117453.tif 000004
【図３】
0003117453.tif 000005
【図４】
0003117453.tif 000006
【図５】
0003117453.tif 000007
【図６】
0003117453.tif 000008
【図７】
0003117453.tif 000009
【図８】
0003117453.tif 000010